(57)【要約】【課題】墓前の環境を美化し且清潔に維持すること、小型化と大容量化とを実現すること、製造コストを低減すること、及び、維持管理作業の高効率化が可能な墓用花立て装置を提供する。【解決手段】墓用花立て装置１は、外容器１０と、内容器２０とを含む。外容器１０は、有底筒状である。内容器２０は、有底筒状であって、平面からみて、外容器１０とは異なる形状を有し、外容器１０に取り出し可能に収納され、収納された状態で、形状の差に応じて、内容器２０の外面と、外容器１０の内面との間に隙間３があらわれる。【選択図】図１
2014062357.tif 000002
【特許請求の範囲】
【請求項１】
外容器と、内容器とを含む墓用花立て装置であって、
前記外容器は、有底筒状である、
前記内容器は、有底筒状であって、平面からみて、前記外容器とは異なる形状を有し、前記外容器に取り出し可能に収納され、前記収納された状態で、前記形状の差に応じて、前記内容器の外面と、前記外容器の内面との間に隙間があらわれる、
墓用花立て装置。
【請求項２】
請求項１に記載された墓用花立て装置であって、
さらに前記内容器は、平面からみて、前記外容器と相似形となる部分と、前記外容器とは相似形とならない部分とを有しており、
前記隙間は、前記外容器とは相似形とならない部分にあらわれる、
墓用花立て装置。
【請求項３】
請求項１又は２に記載された墓用花立て装置であって、さらに前記内容器は、突出部を有しており、
前記突出部は、前記隙間を画定する部分の前記外面に突設されている、
墓用花立て装置。
【請求項４】
請求項３に記載された墓用花立て装置であって、
前記突出部は、前記内容器の高さ方向に沿って延びている、
墓用花立て装置。
【請求項５】
請求項３又は４に記載された墓用花立て装置であって、さらに前記外容器は、凹部を有しており、
前記凹部は、前記外容器の内面に配置され、前記内容器が前記外容器に収納された状態で、前記突出部と嵌め合わされる、
墓用花立て装置。
【発明の詳細な説明】
【技術分野】
【０００１】
本発明は、墓用花立て装置に関する。
【背景技術】
【０００２】
通常、墓は、墓石以外にも香炉や花立てなど付属物を有している。花立ては、遺族が墓参りの際に、墓前に手向けた供花を挿すものである。
【０００３】
ところで、墓参りの際に墓前へ供物を捧げたままにすると、野良犬や烏などによって供物が食い荒らされ、墓地の環境が雑然となる問題が生じる。そこで、多くの墓地や霊園では、墓地の環境美化を図る観点から、墓前に供えた供物は、墓参り後に持ち帰るよう利用規則等で定めている。これに対し、供花は、野良犬などによって食い荒らされる恐れがないことから、墓前に供えた供花は、墓参り後もそのまま墓前に飾られる傾向にある。
【０００４】
しかし、近年、供花についても、墓地の環境が雑然となる問題が生じうることが知られている。例えば、供花は、概ね生花であるから冬季の寒気に弱く、花や葉が立ち枯れた状態で花立てに放置されることとなる。さらに、花立てに供花を供えたまま放置していると、花立て内の水が寒気によって凍結して氷となり、氷によって持ち上げられた供花が花立てから脱落して地面に散乱することとなる。
【０００５】
また、供花は、夏季の直射日光や熱気にも弱く、萎れた花や葉が地面に散乱する。さらに、生花を長持ちさせるため花立て内に溜めた水が熱気により腐敗して臭気を発したり、ときには蚊の幼虫の住家ともなる。これらは甚だ佗しく心痛むことであり、霊魂の安住の地に相応しくない。
【０００６】
従来、供花を巡る墓前の環境美化の問題は、遺族が頻繁に墓参りし、墓前の管理をすることにより解消されてきた。しかし、現在では、ライフスタイルの変化に伴い、墓地と、遺族の居住地とが遠く離れていることが多く、供花の管理するためだけに墓参りしなければならないとなると、遺族にとって負担が大きくなる。
【０００７】
上述した供花を巡る墓前の環境美化の問題を解決する従来技術について、例えば、特許文献１に記載された墓用花立て装置が知られている。特許文献１の墓用花立て装置は、有底筒状の外容器に対し、同じく有底筒状の内容器を取り出し可能に収納する二重筒構造を有し、さらに、内容器の側面には、筒状の造花保持部が取り付けられている。
【０００８】
特許文献１の墓用花立て装置は、上述した構造を有し、内容器の開口部と、外容器の開口部とが同一方向（例えば、上側）を向いているとき内容器に生花を挿し、内容器の開口部が、外容器の開口部とは逆方向（例えば下側）を向いているとき造花保持部に造花を挿すことにより、生花と、造花とを使い分けし、墓前の環境美化を図ることができる点に特徴がある。
【０００９】
しかし、特許文献１の墓用花立て装置には、以下の点で、改善すべき余地がある。まず、この種の内容器には、生けられた供花（生花）を長持ちさせるため、水が溜められる。これに対し、特許文献１に開示されているように、内容器の側面に、筒状の造花保持部が設けられる構成では、造花保持部の分だけ、内容器を小型化せざるをえないから、外容器を大型化しない限り、内容器の低容量化を招く。従って、内容器の容量確保の点で、改善の余地がある。
【００１０】
また、特許文献１に開示されているように、内容器の側面に、筒状の造花保持部が設けられる構成では、造花保持部それ自体の材料コストや加工コスト、及び、製造した造花保持部を内容器に取り付けるための加工コストが必要となるから、造花保持部の分だけ、墓用花立て装置の製造コスト高を招く。従って、製造コストの点で、改善の余地がある。
【００１１】
さらに、特許文献１に開示されているように、内容器の側面に、筒状の造花保持部が設けられる構成では、造花保持部の内部を洗浄する作業が面倒となる。従って、維持管理に係る作業効率の点で、改善の余地がある。
【先行技術文献】
【特許文献】
【００１２】
【特許文献１】特許第４３８４７０４号公報
【発明の概要】
【発明が解決しようとする課題】
【００１３】
本発明の課題は、墓前の環境を美化し、且、清潔に維持することができる墓用花立て装置を提供することである。
【００１４】
本発明のもう一つの課題は、小型化と大容量化とを実現可能な墓用花立て装置を提供することである。
【００１５】
本発明の更にもう一つの課題は、製造コストを低減しうる墓用花立て装置を提供することである。
【００１６】
本発明の更にもう一つの課題は、維持管理作業の高効率化が可能な墓用花立て装置を提供することである。
【課題を解決するための手段】
【００１７】
上述した課題を解決するため、本発明に係る墓用花立て装置は、外容器と、内容器とを含む。外容器は、有底筒状である。内容器は、有底筒状であって、平面からみて、外容器とは異なる形状を有し、外容器に取り出し可能に収納され、収納された状態で、形状の差に応じて、内容器の外面と、外容器の内面との間に隙間があらわれる。
【００１８】
上述したように、本発明に係る墓用花立て装置を構成する外容器は有底筒状であり、内容器は外容器に取り出し可能に収納される。内容器は有底筒状であるから、例えば墓参りの最中に、内容器に供花を挿すとともに、供花のための水をためることができる。従って、墓前の環境を美化することができる。
【００１９】
また、内容器が、外容器に取り出し可能に収納される構成によると、内容器と、外容器とは互いに分離可能な別部材となるから、内容器の維持管理が容易になり、墓前の環境を清潔に維持することができる。他方、外容器に対しては、墓前の装飾に適した構造、形状、模様、及び、色彩を付することが可能となり、もって、墓前の環境を美化することができる。
【００２０】
内容器は、有底筒状であって、平面からみて、外容器とは異なる形状を有し、外容器に取り出し可能に収納され、収納された状態で、形状の差に応じて、内容器の外面と、外容器の内面との間に隙間があらわれる。この構成によると、例えば墓参りを終了し、次に訪れるまでの間、隙間に造花を差し、墓前を造花で飾ることができる。従って、墓前の環境を美化し、且、清潔に維持することができる。
【００２１】
本発明に係る墓用花立て装置において、隙間は、内容器と、外容器との形状差によって形成される。違う言葉で表現すれば、本発明に係る墓用花立て装置は、別途、造花を差すための構成を持つ必要はないから、内容器の小型化と大容量化とを実現することができる。同様に、本発明に係る墓用花立て装置は、別途、造花を差すための構成を持つ必要はないから、製造コストを低減することができる。
【００２２】
本発明に係る墓用花立て装置において、造花を差すための隙間は、内容器が外容器に収納された状態で、形状の差に応じて、内容器の外面と、外容器の内面との間にあらわれるから、内容器の外面と、外容器の内面とを洗浄するだけで、墓用花立て装置の内部を清潔に保つことができる。従って、維持管理作業の高効率化が可能な墓用花立て装置を提供することができる。
【００２３】
本発明に係る墓用花立て装置の好ましい態様において、内容器は、突出部を有しており、突出部は、隙間を画定する部分の外面に突設されている。この構成によると、突出部によって隙間を確実に形成すること、及び、隙間の変動を規制することができる。従って、隙間に差された造花を保護し、墓前の環境を確実に美化し続けることができる。
【００２４】
また、内容器の外面に突出部を突設する構成によると、内容器の容量に対する影響を最小限にとどめることが可能となる。従って、内容器の小型化と大容量化とを実現可能な墓用花立て装置を提供することができる。
【００２５】
しかも、内容器の外面に突出部を突設するという簡易な構成によって、隙間を確実に形成すること、及び、隙間の変動を規制することが可能となるから、製造コストを低減することができる。
【００２６】
さらに、内容器の外面に突出部を突設する構成によると、内容器の外面の洗浄作業によって、突出部も同時に洗浄される。従って、維持管理作業の高効率化することができる。
【発明の効果】
【００２７】
以上述べたように、本発明によれば、次のような効果を得ることができる。
（１）墓前の環境を美化し、且、清潔に維持することができる墓用花立て装置を提供することができる。
（２）小型化と大容量化とを実現可能な墓用花立て装置を提供することができる。
（３）製造コストを低減しうる墓用花立て装置を提供することができる。
（４）維持管理作業の高効率化が可能な墓用花立て装置を提供することができる。
【００２８】
本発明の他の目的、構成及び利点については、添付図面を参照し、更に詳しく説明する。添付図面は、単に、例示に過ぎない。
【図面の簡単な説明】
【００２９】
【図１】本発明の一実施形態に係る墓用花立て装置の斜視図である。
【図２】図１に示した墓用花立て装置の横断面図である。
【図３】図１に示した墓用花立て装置の縦断面図である。
【図４】本発明のもう一つの実施形態に係る墓用花立て装置の一部を破断して示す正面図である。
【図５】図４に示した墓用花立て装置の使用状態を示す正面断面図である。
【図６】図４に示した墓用花立て装置について、もう一つの使用状態を示す正面断面図である。
【図７】本発明の更にもう一つの実施形態に係る墓用花立て装置を構成する内容器の斜視図である。
【図８】本発明の更にもう一つの実施形態に係る墓用花立て装置の横断面図である。
【図９】本発明の更にもう一つの実施形態に係る墓用花立て装置の平面図である。
【図１０】本発明の更にもう一つの実施形態に係る墓用花立て装置の平面図である。
【発明を実施するための形態】
【００３０】
図１乃至１０において同一符号は、同一又は対応部分を示すものとする。図１乃至図３の実施形態は、本発明に係る墓用花立て装置の構成を簡略化して示すものであって、外容器１０と、内容器２０とを含む。
【００３１】
外容器１０は、有底筒状であって、収納空間１００と、第１の壁部１１と、第１の底部１２と、第１の開口部１３とを有している。
【００３２】
収納空間１００は、第１の底部１２と、第１の底部１２の周縁から高さ方向Ｔに立ち上がる第１の壁部１１とによって画定されている。第１の壁部１１、及び、第１の底部１２は、成形容易性、経年使用に対する耐久性（耐腐食性）などの観点から、アルミ、ステンレスなどの金属材料、又は、ポリエチレン（ＰＥ）、ポリプロピレン（ＰＰ）などの合成樹脂材料を主成分とし、周知の加工技術によって一体的な有底筒状に成形され、外容器１０の本体部分を構成している。
【００３３】
第１の開口部１３は、第１の底部１２と高さ方向Ｔに向かい合う第１の壁部１１の一端側に開口し、収納空間１００に連通している。第１の開口部１３は、平面からみて円形となっている。この第１の開口部１３の形状は、高さ方向Ｔに沿って、第１の底部１２まで保たれている。違う言葉で表現すれば、第１の壁部１１は、高さ方向Ｔに伸びる中間部分に、第１の開口部１３の内寸法よりも小さくなる径変化部分を有しない。
【００３４】
内容器２０は、有底筒状であって、平面からみて、外容器１０とは異なる形状を有している。より詳細に説明すると、まず、図１乃至図３の内容器２０は、第２の内部空間２００と、第２の壁部２１と、第２の底部２２と、第２の開口部２３とを有している。
【００３５】
第２の内部空間２００は、第２の底部２２と、第２の底部２２の周縁から高さ方向Ｔに立ち上がる第２の壁部２１とによって画定されている。第２の壁部２１は、収納空間１００と同程度の高さ寸法を有している。
【００３６】
第２の壁部２１、及び、第２の底部２２は、成形容易性、耐久性などの観点から、アルミ、ステンレスなどの金属材料、又は、ポリエチレン（ＰＥ）、ポリプロピレン（ＰＰ）などの合成樹脂材料を主成分とし、周知の加工技術によって一体的な有底筒状に成形されている。
【００３７】
第２の開口部２３は、第２の底部２２と高さ方向Ｔに向かい合う第２の壁部２１の一端側に開口し、第２の内部空間２００に連通している。第２の開口部２３は、平面からみて、第１の開口部１３と相似形となる円弧状部分（相似形部分２４）と、半月状に切り欠かれたような、第１の開口部１３とは相似形とならない部分（非相似形部分２５）とを有している。この第２の開口部２３の形状は、高さ方向Ｔに沿って、第２の底部２２まで保たれている。違う言葉で表現すれば、第２の壁部２１は、高さ方向Ｔに伸びる中間部分に、第２の開口部２３の内寸法よりも小さくなる径変化部分を有しない。
【００３８】
図１乃至図３の墓用花立て装置は、内容器２０に、突出部２６を有している点に特徴の一つがある。図１乃至図３の突出部２６は、壁状であって、非相似形部分２５に相当する第２の壁部２１の外面において、内容器２０の径方向Ｄに突出し、且つ、内容器２０の高さ方向Ｔに沿って延びている。突出部２６の突出端は、第２の壁部２１の円周を延長した線（一点鎖線表記）まで伸びていることが好ましい。違う言葉で表現すれば、内容器２０は、突出部２６を有することにより、非相似形部分２５にあるべき円筒の壁部（２２）が補完されている。図からは必ずしも明らかではないが、平面からみて、第２の開口部２３の中心から相似形部分２４に相当する第２の壁部２１までの距離（半径）と、第２の開口部２３の中心から突出部２６の突出端までの距離とは、ほぼ一致している。
【００３９】
突出部２６は、成形容易性、経年使用に対する耐腐食性など（耐腐食性）などの観点から、アルミ、ステンレスなどの金属材料、又は、ポリエチレン（ＰＥ）、ポリプロピレン（ＰＰ）などの合成樹脂材料を主成分としている。突出部２６は、好ましくは第２の壁部２１に結合されており、より好ましくは第２の壁部２１と一体的に連続している。もっとも、突出部２６は、周知の溶接技術、接着技術等を用いて、第２の壁部２１に後付されてもよい。
【００４０】
図１乃至図３の墓用花立て装置は、外容器１０に内容器２０が収納された二重筒構造を有している。内容器２０は、外容器１０に取り出し可能に収納され、収納された状態で、形状の差に応じて、内容器２０の外面と、外容器１０の内面との間に隙間３（及び、３０）があらわれる。
【００４１】
まず、墓用花立て装置は、収納空間１００に内容器２０が収納された状態で、第１の壁部１１の内面と、第２の壁部２１の外面との間に、内容器２０と外容器１０の内寸法差に応じた隙間３を有している。具体的に、隙間３は、相似形部分２４にあらわれ、第１の開口部１３を通じて外部に開口している。
【００４２】
他方、内容器２０の非相似形部分２５には、隙間３０があらわれる。隙間３０は、第１の開口部１３と第２の開口部２３との平面形状差に応じて形成され、相似形部分２４にあらわれる隙間３よりも拡張されている。さらに、隙間３０は、突出部２６によって画定されている。
【００４３】
内容器２０は、外容器１０に取り出し可能に収納された状態で、有底筒状の第２の開口部２３、又は、第２の開口部２３に向かい合う第２の底部２２が、第１の開口部１３の側に位置している。違う言葉で表現すれば、内容器２０は、第２の開口部２３、又は、第２の底部２２のいずれかが、第１の底部１２によって支えられている。
【００４４】
ここで、第２の開口部２３、又は、第２の底部２２のいずれが、第１の開口部１３の側に位置するかは、収納空間１００への案内時における、内容器２０の向きによって決定される。例えば、内容器２０が第２の底部２２の側から収納空間１００に案内され、第２の開口部２３が第１の開口部１３の側に位置し、第２の開口部２３と、第１の開口部１３とが同一方向に開口する状態（正位置の収納状態）となる。他方、内容器２０が第２の開口部２３の側から収納空間１００に案内され、第２の底部２２が第１の開口部１３の側に位置し、第２の開口部２３と、第１の開口部１３とが相対向する方向に開口する状態（逆位置の収納状態）となる。
【００４５】
図１乃至図３を参照して説明したように、墓用花立て装置は、内容器２０が外容器１０に取り出し可能に収納される二重筒構造を有するから、内容器２０と、外容器１０とは互いに分離可能な別部材となる。従って、内容器２０の維持管理が容易になり、墓前の環境を清潔に維持することができる。他方、外容器１０に対しては、墓前の装飾に適した構造、形状、模様、及び、色彩を付することが可能となり、もって、墓前の環境を美化することができる。
【００４６】
また、内容器２０は、有底筒状であるから、例えば墓参りの最中、正位置の収納状態において、第２の内部空間２００に供花（特に生花）を挿すとともに、供花のための水をためることができる。従って、墓前の環境を美化することができる。
【００４７】
他方、内容器２０は、有底筒状であるから、例えば次に墓参りに訪れるまでの間、逆位置の収納状態において、第２の内部空間２００に雨水などが溜まる不都合を回避することができる。従って、墓前の環境を清潔に維持することができる。
【００４８】
図１乃至図３の墓用花立て装置は、上述した二重筒構造に加え、外容器１０と内容器２０との間で形状差を設けた点、及び、内容器２０に突出部２６を設けた点に特徴の一つがある。まず、内容器２０は、平面からみた第２の開口部２３の形状が、第１の開口部１３とは異なっている。この構成によると、内容器２０が外容器１０に収納された状態で、非相似形部分２５において、第２の壁部２２の外面と、第１の壁部１１の内面との間に隙間３０があらわれるから、例えば墓参りを終了し、次に訪れるまでの間、隙間３０に造花を差し、墓前を造花で飾ることができる。従って、墓前の環境を美化し、且、清潔に維持することができる。
【００４９】
上述したように隙間３０は、内容器２０と外容器１０との形状差によって形成される。違う言葉で表現すれば、墓用花立て装置は、別途、造花を差すための構成を持つ必要はないから、製造コストを低減することができる。
【００５０】
また、造花を差すための隙間３０は、内容器２０と外容器１０との形状差によって形成されるから、第２の壁部２２の外面と、第１の壁部１１の内面とを洗浄するだけで、墓用花立て装置の内部を清潔に保つことができる。従って、維持管理作業の高効率化が可能な墓用花立て装置を提供することができる。
【００５１】
他方、内容器２０は、突出部２６を有しており、突出部２６は、非相似形部分２５に相当する第２の壁部２２の外面に突設されている。この構成によると、非相似形部分２５にあるべき円筒の壁部（２２）が、突出部２６によって補完されるから、隙間３０の変位を規制し、内容器２０を外容器１０の内部に安定して収納させ続けることができる。しかも、隙間３０が突出部２６によって仕切られることにより、隙間３０に差された造花の配置姿勢が安定する。従って、隙間３０に差された造花を保護し、墓前の環境を確実に美化し続けることができる。
【００５２】
また、内容器２０の外面に突出部２６を突設する構成によると、内容器２０の容量に対する影響を最小限にとどめることが可能となる。従って、内容器２０の小型化と大容量化とを実現可能な墓用花立て装置を提供することができる。
【００５３】
図４の実施形態は、図１乃至図３を参照して説明した墓用花立て装置の基本構成に加え、実際の使用を想定した具体的形態を示すものである。以下、図４において、新たに追加された部分を中心に説明する。図４の外容器１０は、第１の貫通部１４と、第１の支持部１５と、第１の台座部１６、第１の排水口１７とを有している。
【００５４】
第１の貫通部１４は、第１の壁部１１を厚み方向に貫通し、収納空間１００に連通している。図４の第１の貫通部１４は、開口部分の形状が円形となっており、複数がマトリックス状に配置されている。第１の貫通部１４は、外部の空気を収納空間１００に導入し、収納空間１００内の温度を一定に保つための通風口である。従って、必ずしも上述した配置に限定されるものではない。例えば、第１の貫通部１４を花柄や唐草模様の透かし彫りとすることにより、通風口としての基本機能に加えて、第１の壁部１１に、墓前に適した装飾効果を付することができる。
【００５５】
第１の支持部１５は、第１の壁部１１と第１の底部１２との交差部分に沿って環状に伸びるとともに、第１の底部１２の内面から高さ方向Ｔに立ち上がっており、その高低差の分だけ、第１の底部１２の中央部分が凹状に陥没している。この凹みは、後述する装飾部（２８）の退避空間１５０となる。
【００５６】
第１の台座部１６は、第１の底部の外面に配置され、第１の壁部１１と第１の底部１２とによって構成される外容器１０の本体部分を支えている。もっとも第１の台座部１６は、第１の底部１２と一体的な構造であってもよい。
【００５７】
第１の排水口１７は、第１の底部１２及び第１の台座部１６を高さ方向Ｔに貫通している。第１の排水口１７は、内容器２０から溢れ出た水や、収納空間１００内に侵入した雨水、及び、結露により生じる水などを、収納空間１００から外へ排出するものであり、収納空間１００を画定する第１の壁部１１及び第１の底部１２の下側において、水がたまりやすい位置を勘案して開口される。
【００５８】
図４の内容器２０は、第２の貫通部２７と、装飾部２８とを有している。第２の貫通部２７は、第２の壁部２１を厚み方向に貫通し、第２の内部空間２００に連通している。第２の貫通部２７は、第２の内部空間２００内に供花のための水を注いだ際の余分な水や、第２の内部空間２００内に侵入した雨水によって増えた水などを外へ排出し、第２の内部空間２００内の水面位置の上限を決定する水位調節口である。
【００５９】
装飾部２８は、墓前の装飾に適した構造、形状、模様、及び、色彩（デザイン）を有している。墓前の装飾に適したデザインとしては、例えば、蓮の花や擬宝珠など周知の仏具デザインがあげられる。
【００６０】
図４の墓用花立て装置は、蓋４を含む。蓋４は、外容器１０の第１の開口部１３に着脱可能に取り付けられ、取り付けられた状態で収納空間１００、２００を覆っている。
【００６１】
図４を参照して説明した花立て装置１は、墓石５と組み合わされて、お墓を構成する。次に図５及び図６を参照して、図４の花立て装置１の具体的な使用状態を説明する。
【００６２】
図５の花立て装置１は、墓石５に載置される。図５の実施形態は、例えば墓参り中の使用状態を示すものであって、内容器２０が第２の底部２２の側から収納空間１００に案内され、第２の開口部２３が第１の開口部１３の側に位置し、第２の開口部２３と、第１の開口部１３とが同一方向に開口する状態（正位置の収納状態）となる。正位置の収納状態において、内容器２０は、支持部１５によって支持され、装飾部２８が退避空間１５０に収納される。
【００６３】
図５の花立て装置１は、外容器１０と内容器２０とが正位置の収納状態に組み合わされており、第１、第２の開口部１３、２３を通じて生花６が第２の内部空間２００に生けられている。第２の内部空間２００には供花６のための水８が貯められている。なお、第２の内部空間２００内に供花６のための水８を注いだ際の余分な水や、第２の内部空間２００内に侵入した雨水によって増えた水などは、第２の貫通部２７を通じて収納空間１００へ排出され、更に第１の排水口１７または第１の貫通部１４を通じて外部に排出される。従って、第２の内部空間２００の水８の水面位置は、常に第２の貫通部２７の開設位置の上限として、一定となる。
【００６４】
他方、図５の生花６は、墓参り後に第２の内部空間２００から取り出して持ち帰る。図６の実施形態は、墓参り後の状態を示すものであって、内容器２０が第２の開口部２３の側から収納空間１００に案内され、第２の底部２２が第１の開口部１３の側に位置し、第２の開口部２３と、第１の開口部１３とが相対向する方向に開口する状態（逆位置の収納状態）となる。第２の壁部２１は、第１の壁部１１と同程度の高さ寸法を有しているから、内容器２０が収納空間１００に収納された状態で、第１の開口部１３の開口縁の近傍に第２の底部２２の外面が位置し、装飾部２８が第１の開口部１３の開口縁から高さ方向Ｔに突出する。
【００６５】
図６の実施形態では、第２の底部２２が第１の開口部１３に面しており、隙間３０が外部に連通し、装飾部２８が外部に露出している。この隙間３０に供花（造花７）を生ける。
【００６６】
ところで、供花は、概ね生花であるから冬季の寒気に弱く、花や葉が立ち枯れた状態で花立てに放置されることとなる。さらに、花立てに供花を供えたまま放置していると、花立て内の水が寒気によって凍結し、氷によって持ち上げられた供花が花立てから脱落して地面に散乱することとなる。
【００６７】
また、供花は、夏季の直射日光や熱気にも弱く、萎れた花や葉が地面に散乱する。さらに、生花を長持ちさせるため花立て内に溜めた水が熱気により腐敗して臭気を発したり、ときには蚊の幼虫の住家ともなる。これらは甚だ佗しく心痛むことであり、霊魂の安住の地に相応しくない。
【００６８】
従来、供花を巡る墓前の環境美化の問題は、遺族が頻繁に墓参りし、墓前の管理をすることにより解消されてきた。しかし、現在では、ライフスタイルの変化に伴い、墓地と、遺族の居住地とが遠く離れていることが多く、供花の管理するためだけに墓参りしなければならないとなると、遺族にとって負担が大きくなる。
【００６９】
上述した供花を巡る墓前の環境美化の問題を解決する従来技術について、例えば、従来の墓用花立て装置（特許文献１参照）は、有底筒状の外容器１０に対し、同じく有底筒状の内容器２０を取り出し可能に収納する二重筒構造を有し、さらに、内容器２０の側面には、筒状の造花保持部が取り付けられている。
【００７０】
しかし、従来の墓用花立て装置には、以下の点で、改善すべき余地がある。まず、この種の内容器２０には、生けられた供花（生花）を長持ちさせるため、水が溜められる。これに対し、内容器２０の側面に、筒状の造花保持部が設けられる構成では、造花保持部の分だけ、内容器２０を小型化せざるをえないから、外容器１０を大型化しない限り、内容器２０の低容量化を招く。従って、内容器２０の容量確保の点で、改善の余地がある。
【００７１】
また、内容器２０の側面に、筒状の造花保持部が設けられる構成では、造花保持部それ自体の材料コストや加工コスト、及び、製造した造花保持部を内容器２０に取り付けるための加工コストが必要となるから、造花保持部の分だけ、墓用花立て装置の製造コスト高を招く。従って、製造コストの点で、改善の余地がある。
【００７２】
さらに、内容器２０の側面に、筒状の造花保持部が設けられる構成では、造花保持部の内部を洗浄する作業が面倒となる。従って、維持管理に係る作業効率の点で、改善の余地がある。
【００７３】
図４乃至図６の墓用花立て装置は、図１乃至図３の墓用花立て装置の基本的構成を全て有し、図１乃至図３を参照して説明した利点を全て奏することにより、上述した従来技術において改善すべき点が、全て改善される。例えば、内容器２０は、隙間３０を有しているから、内容器２０が逆位置の収納状態で収納空間１００に収納されているとき、隙間３０に供花（特に造花７）を案内し、又は、隙間３０内に配置された供花を取り出すことができる。従って、墓前の環境を美化し、且、清潔に維持することができる。
【００７４】
内容器２０は、隙間３、及び、３０を有しているから、この隙間３、及び、３０により断熱効果を奏することができる。従って、第２の内部空間２００に貯められた水８が、夏季の熱気により腐敗する不具合、及び、冬季の寒気により凍結する不具合を回避することができる。
【００７５】
さらに、外容器１０は、第１の貫通部１４を有するから、第１の貫通部１４を通じて外部の空気を収納空間１００に導入し、収納空間１００内の温度を一定に保つことができる。しかも、内容器２０は第２の貫通部２７を有するから、第１の貫通部１４を通じて収納空間１００に導入された外部の空気を、第２の貫通部２７を通じて第２の内部空間２００に導入し、さらに第２の開口部２３から外部に輩出される。従って、第１、第２の貫通部１４、２４の協働により、花立て装置１内の温度を一定に保ち、生花６を長持ちさせることができる。
【００７６】
内容器２０は、装飾部２８を有しているから、例えば墓参り後に、内容器２０を収納空間１００から取り出し、逆位置の収納状態で収納空間１００に再配置することにより、装飾部２８によって墓前を飾ることができる。
【００７７】
内容器２０は、第２の貫通部２７を有しているから、内容器２０が正位置の収納状態で収納空間１００に収納されているとき、雨水が第２の内部空間２００に浸入しても、水面位置が上昇する不都合は生じない。
【００７８】
また、内容器２０は、第２の貫通部２７を有しているから、冬季において水８が生花６とともに栓のごとくに凍結し、さらに凍結した面の底側に雨水が浸入して凍結面を押し上げようとしたとき、第２の貫通部２７を通じて雨水が収納空間１００に排出されることにより、持ち上げられた氷とともに生花６が内容器２０から脱落する不都合を回避することができる。しかも、第２の貫通部２７から収納空間１００に排出された雨水は、第１の貫通部１４、又は、第１の排水口１７を通じて、外部に排出されるから、収納空間１００に雨水が溜まる不都合も生じない。
【００７９】
ところで造花７は、生花６とは異なり、枯れることがないため、半永久的に用いることができると考えられる傾向にある。しかし、造花７も、熱気や寒気、塵埃などに晒されることにより劣化し、最長でも３ヶ月ほどで交換する必要が生じるする。そこで、花立て装置１は、蓋４を有するから、墓参り後であって、例えば３ヶ月以上の長期に渡って墓参りをすることができないとき、又、第２の内部空間２００の水が全面的に凍ってしまうような極度の寒冷地の冬季などに用いる。この構造によると、造花７を用いることができない場合でも、墓前の環境を美化することができる。
【００８０】
図７は、本発明の更にもう一つの実施形態に係る墓用花立て装置を構成する内容器２０の斜視図である。図７は、墓用花立て装置を構成する内容器２０について、突出部２６の形態が異なる以外は、図１乃至図６を参照して説明した内容器２０と同じ基本的構成を有している。以下、相違点を中心に説明する。
【００８１】
図７の内容器２０において、突出部２６は、内容器２０の高さ方向Ｔの両端付近、及び、中間部分に間隔を隔てて、断続的に配置されている。図１乃至図６を参照して説明したように、突出部２６は、相似形とならない部分２５にあらわれる隙間３０を画定するとともに、拡張された隙間３０において、突出端は、第１の壁部を延長した線上であって、第２の壁部２１の円周上まで伸び、第１の壁部１１の内面に接触することで、内容器２０の収納姿勢を安定させる。また、突出部２６を有することで、隙間３０が仕切られるから、造花をさしたとき、造花の配置姿勢が安定する。従って、上述した効果を奏する限り、突出部２６は、図１乃至図３を参照して説明した連続する壁状構造以外に、図７に示したような断続的な態様であってもよい。
【００８２】
図８は、本発明の更にもう一つの実施形態に係る墓用花立て装置の横断面図である。図８の墓用花立て装置は、外容器１０の構成が異なる以外は、図１乃至図７を参照して説明したのと同一の基本的構成を有している。以下、相違点を中心に説明する。
【００８３】
外容器１０は、凹部１８を有しており、凹部１８は、外容器１０の内面に配置され、内容器２０が外容器１０に収納された状態で、突出部２６と嵌め合わされる。図８の凹部１８は、一対の壁部１８１、１８２を有し、一対の壁部１８１、１８２は、外容器１０の内面において、互いに間隔を隔てて外容器１０の径方向Ｄに突出し、且つ、外容器１０の高さ方向Ｔに沿って延びている。突出部２６は、一対の壁部１８１、１８２の間隔内において、高さ方向Ｔにスライド可能に嵌合されている。
【００８４】
図８の墓用花立て装置は、図１乃至図７の墓用花立て装置の基本的構成を全て有するから、図１乃至図７を参照して説明した利点を全て奏することができる。さらに、図８の墓用花立て装置は、内容器２０の突出部２６が、外容器１０の一対の壁部１８１、１８２の間隔に嵌合されているから、内容器２０の収納姿勢を安定化させることができる。
【００８５】
図９及び図１０は、本発明の更にもう一つの実施形態に係る墓用花立て装置の平面図である。図９及び図１０の墓用花立て装置は、図１乃至図８とは異なり、内容器２０は、平面でみて外容器１０と相似形になる部分を全く有していない点に特徴がある。すなわち、図９の実施形態において、外容器１０は角筒であり、平面形状が四角形であるのに対し、内容器２０は円筒であり、隙間３０は、外容器１０と内容器２０との平面形状差に応じて、外容器１０の隅部の内側にあらわれる。
【００８６】
他方、図１０の実施形態において、外容器１０は円筒であり、平面形状が円形であるのに対し、内容器２０は角筒であり、隙間３０は、外容器１０と内容器２０との平面形状差に応じて、内容器２０を構成する２組の対辺の外側にあらわれる。
【００８７】
図９及び図１０に示した構成によっても、内容器２０は、有底筒状であって、平面からみて、外容器１０とは異なる形状を有し、外容器１０に取り出し可能に収納され、収納された状態で、形状の差に応じて、内容器２０の外面と、外容器１０の内面との間に隙間３０があらわれるから、図１乃至図８を参照して説明した利点を全て有することができる。
【００８８】
以上、好ましい実施例を参照して本発明の内容を具体的に説明したが、本発明の基本的技術思想及び教示に基づいて、当業者であれば、種種の変形態様を採り得ることは自明である。
【符号の説明】
【００８９】
１                墓用花立て装置
１０              外容器
１８              凹部
２０              内容器
２４              相似形部分
２５              非相似形部分
２６              突出部
３、３０          隙間
Ｔ                高さ方向
【図１】
2014062357.tif 000003
【図２】
2014062357.tif 000004
【図３】
2014062357.tif 000005
【図４】
2014062357.tif 000006
【図５】
2014062357.tif 000007
【図６】
2014062357.tif 000008
【図７】
2014062357.tif 000009
【図８】
2014062357.tif 000010
【図９】
2014062357.tif 000011
【図１０】
2014062357.tif 000012
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
外容器と、内容器とを含む墓用花立て装置であって、
前記外容器は、有底筒状である、
前記内容器は、有底筒状であって、平面からみて、前記外容器とは異なる形状を有し、前記外容器に取り出し可能に収納され、前記収納された状態で、前記形状の差に応じて、前記内容器の外面と、前記外容器の内面との間に隙間があらわれる、
さらに、前記内容器は、突出部を有しており、
前記突出部は、壁状であって、前記隙間を画定する部分の前記外面に突設され、前記隙間を仕切っている、
墓用花立て装置。
【請求項２】
請求項１に記載された墓用花立て装置であって、
さらに前記内容器は、平面からみて、前記外容器と相似形となる部分と、前記外容器とは相似形とならない部分とを有しており、
前記外容器とは相似形とならない部分にあらわれる前記隙間は、前記外容器と相似形となる部分にあらわれる隙間よりも拡張されており、
前記突出部は、前記外容器とは相似形とならない部分の外面に突設されている、
墓用花立て装置。
【請求項３】
請求項１又は２に記載された墓用花立て装置であって、
前記突出部は、前記内容器の高さ方向に沿って断続的に配置されている、
墓用花立て装置。
【請求項４】
請求項３に記載された墓用花立て装置であって、さらに前記外容器は、凹部を有しており、
前記凹部は、前記外容器の内面に配置され、前記内容器が前記外容器に収納された状態で、前記突出部と嵌め合わされる、
墓用花立て装置。
【請求項５】
請求項１乃至３の何れかに記載された墓用花立て装置であって、さらに前記外容器は、平面からみて角筒状であり、
前記突出部は、その突出端が前記外容器の隅部の内側に配置される、
墓用花立て装置。
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
外容器と、内容器とを含む墓用花立て装置であって、
前記外容器は、有底筒状である、
前記内容器は、有底筒状であって、平面からみて、前記外容器とは異なる形状を有し、前記外容器に取り出し可能に収納され、前記収納された状態で、前記形状の差に応じて、前記内容器の外面と、前記外容器の内面との間に隙間があらわれ、
さらに、前記内容器は、突出部を有しており、
前記突出部は、壁状であって、前記隙間を画定する部分の前記外面に突設され、前記隙間を仕切っている、
墓用花立て装置。
【請求項２】
請求項１に記載された墓用花立て装置であって、
さらに前記内容器は、平面からみて、前記外容器と相似形となる部分と、前記外容器とは相似形とならない部分とを有しており、
前記外容器とは相似形とならない部分にあらわれる前記隙間は、前記外容器と相似形となる部分にあらわれる隙間よりも拡張されており、
前記突出部は、前記外容器とは相似形とならない部分の外面に突設されている、
墓用花立て装置。
【請求項３】
請求項１又は２に記載された墓用花立て装置であって、
前記突出部は、前記内容器の高さ方向に沿って断続的に配置されている、
墓用花立て装置。
【請求項４】
請求項３に記載された墓用花立て装置であって、さらに前記外容器は、凹部を有しており、
前記凹部は、前記外容器の内面に配置され、前記内容器が前記外容器に収納された状態で、前記突出部と嵌め合わされる、
墓用花立て装置。